(57)【特許請求の範囲】
【請求項１】
レンズを有する鏡筒部と、前記鏡筒部を前後に駆動する本体部とを備え、
前記本体部はほぼ防水構造になっている光学機器において、
前記本体部に対して着脱可能であり、前記本体部から繰り出された前記鏡筒部を被うように形成された防水構造を有する防水キャップと、
前記本体部に設けられたリング状の溝を有する係合部と、
前記係合部を被うように前記本体部に対して着脱可能であり、前記防水キャップを取り外した際に取り付けられるリング部材と、
前記防水キャップに設けられ、前記リング状の溝に嵌まり込むリング状の突部を有するキャップ係合部と、
前記リング部材に設けられ、前記リング状の溝に嵌まり込むリング状の突部を有するリング係合部と、を備え、
前記キャップ係合部及び前記リング係合部と前記本体部の係合部とは互いに螺合するネジ構造に形成されていることを特徴とする光学機器。
【発明の詳細な説明】
【０００１】
【発明の属する技術分野】
本発明は、レンズを有する鏡筒部と、前記鏡筒部を前後に駆動する本体部とを備えた光学機器に関するものである。
【０００２】
【従来の技術】
従来、鏡筒部が前後動し内部に沈胴可能なズームカメラ等の光学機器を防水構造にするには、鏡筒部も含めた光学機器全体を防水構造のハウジングで被っていた。
【０００３】
【発明が解決しようとする課題】
しかし、上記防水構造では、鏡筒部が完全に繰り出された状態に合わせて、ハウジングの形状を形成するため、光学機器が大型化し携帯性が悪くなってしまっていた。
一方、携帯性を良くするために鏡筒部のハウジングを省略した光学機器もあるが、その光学機器は防水構造にはできず、防滴構造にするのが限界であった。
【０００４】
上記事情に鑑み、本発明の課題は、携帯性が良く、かつ防水構造にすることができる光学機器を提供することである。
【０００５】
【課題を解決するための手段】
以下、括弧書きにより実施の形態において対応する構成を一例として示す。実施の形態と同一の用語を使用している場合には、符号のみ示す。
以上の課題を解決すべく本発明は、レンズを有する鏡筒部（２０）と、前記鏡筒部を前後に駆動する本体部（１０）とを備え、前記本体部はほぼ防水構造になっている光学機器（カメラ１）において、前記本体部に対して着脱可能であり、前記本体部から繰り出された前記鏡筒部を被うように形成された防水構造を有する防水キャップ（３０）を備え、前記本体部には前記防水キャップに係合する係合部（１１ｂ）が設けられていることを特徴とする。
【０００６】
本発明によれば、本体部に対して着脱可能であり、前記本体部から繰り出された鏡筒部を被うように形成された防水構造を有する防水キャップを、本体部の係合部に取り付けることにより光学機器全体を防水構造にできる。また、防水構造が不要の時には防水キャップを取り外しておくことにより、全体を防水構造とした光学機器よりも小型になり、携帯性が良くなる。
【０００７】
ここで、前記防水キャップの形状は、前記本体部から繰り出された鏡筒部を被うことができれば限定されないが、例えば、円筒形状にすればよい。
また、前記防水キャップは鏡筒部を被っているため、防水キャップはレンズフードの役割も果たすことができる。
【０００８】
また、本発明は、上記に記載の発明であって、前記係合部（１１ｂ）を被うように前記本体部（１０）に着脱可能であるリング部材（４０）を備えたこと特徴とする。
【０００９】
このように、本発明によれば、前記防水キャップを取り外したときには前記リング部材を前記本体部の係合部に取り付けることによって前記係合部が被われるので、前記係合部が露出することがない。したがって、前記係合部に本体部の内部に連通する隙間があったとしても、前記リング部材でこの隙間を塞いでおくことができることから、防滴構造程度のシールド性を持たすことができる。
【００１０】
【発明の実施の形態】
以下に、本発明の光学機器の実施の形態を図面に基づいて説明する。
図１から図４は、本発明の光学機器の一例としてのカメラ１を示したもので、図１と図３は、鏡筒部２０が沈胴した状態を示している。まず、カメラ１の構成について説明する。
このカメラ１は、本体部１０と、レンズを有する鏡筒部２０とからなる。
【００１１】
本体部１０は、フィルムカートリッジ室１２等を内蔵し、ハウジング１１によって被われている。また、本体１０は鏡筒部２０を格納しており、この鏡筒部２０を前後に駆動する駆動機構を備える。
【００１２】
ハウジング１１は、継ぎ目の部分にゴム体１１ｄ，１１ｄを介設し、防水構造となっている。そして、このハウジング１１には、鏡筒部２０が前後動するための開口１１ａが設けられている。
また、ハウジング１１には、開口１１ａの周囲に、後述の防水キャップ３０が係合する、リング状の溝である係合部１１ｂが設けられている。
係合部１１ｂの周囲のハウジング１１には継ぎ目があり、その継ぎ目にはＯリング１１ｃが介設されている。
【００１３】
防水キャップ３０は、水中でも水がカメラ１内部に侵入しないよう鏡筒部２０を被うもので、完全に繰り出された状態の鏡筒部２０に合わせた長さを有し、正面部３１と、側面部３２と、補強部３３とから構成される。
正面部３１は透明の円板状であり、光を透過する部材からなる。そして、その外周部分において側面部３２の一端３２ａと、Ｏリング３４を介して接合される。
側面部３２は円筒形状であり、前記一端３２ａにおいて正面部３１に接合し、また、他端には係合部１１ｂに係合するキャップ係合部３２ｂが設けられている。
そして、キャップ係合部３２ｂが係合部１１ｂに係合することにより、防水キャップ３０は本体部１０に着脱可能に取り付けられる。
キャップ係合部３２ｂと、係合部１１ｂの係合の機構には周知の機構を用いればよい。例えば、キャップ係合部３２ｂと、係合部１１ｂに、互いに螺合するネジ構造を形成し、はめ合わせるといった構造をとればよい。
また、防水キャップ３０と本体部１０が接触する部分にはＯリング３５が介設されている。
補強部３３は、断面Ｌ字型のリング状の部材であり、正面部３１と側面部３２との接合を補強し、この接合部分からの水の侵入を防ぐためのものである。
【００１４】
リング部材４０（図３）は、防水キャップ３０を取り外した際に係合部１１ｂに取り付けられるもので、リング係合部４０ａが係合部１１ｂに係合することにより、本体部１０に着脱可能に取り付けられる。なお、この係合機構は上記の機構と同様である。
【００１５】
カメラ１では、防水構造が必要な場合、図１に示すように、防水キャップ３０のキャップ係合部３２ｂと、本体部の係合部１１ｂを係合させて防水キャップ３０を本体部１０に取り付ける。次いで、図２（ａ），（ｂ）に示すように必要に応じて鏡筒部２０を駆動し、撮影を行う。なお、図２（ａ）はワイド状態、図２（ｂ）はテレ状態を示している。
防水構造が不要な場合、図３に示すように、リング部材４０のリング係合部４０ａと、本体部の係合部１１ｂを係合させてリング部材４０を本体部１０に取り付ける。次いで、図４（ａ）、（ｂ）に示すように必要に応じて鏡筒部２０を駆動し、撮影を行う。なお、図４（ａ）はワイド状態、図４（ｂ）はテレ状態を示している。
【００１６】
以上のように、本実施の形態によれば、撮影者は、本体部１０に対して着脱可能であり、本体部１０から繰り出された鏡筒部２０を被うように形成された防水構造を有する防水キャップ３０を本体部１０に取り付けることによりカメラ１全体を防水構造にできる。また、防水構造が不要の時には防水キャップ３０を取り外しておくことにより、全体を防水構造としたカメラ１よりも小型になり、携帯性が良くなる。
また、防水キャップ３０を取り外したときには、リング部材４０を本体部１０に取り付けることによって係合部１１ｂが被われるので、係合部１１ｂが露出することがない。したがって、係合部１１ｂの周囲のハウジング１１にある継ぎ目をリング部材４０で塞いでおくことができることから、防滴構造程度のシールド性を持たすことができる。また、リング部材４０は係合部１１ｂを被うから、カメラ１の美観を向上させる。
また、防水キャップ３０は鏡筒部２０を被っているため、レンズフードの役割も果たすことができる。
【００１７】
なお、以上の実施の形態においては、光学機器としてカメラを用いたが、本発明はこれに限定されるものではなく、他の光学機器例えばビデオカメラを用いても良い。
また、防水キャップ３０の形状は、本体部１０から繰り出された鏡筒部２０を被うことができれば他の形状でも良く、例えば、断面矩形状でも良い。
その他、具体的な細部構造等についても適宜に変更可能であることは勿論である。
【００１８】
【発明の効果】
以上のように、本発明に係る光学機器によれば、本体部に対して着脱可能であり、前記本体部から繰り出された鏡筒部を被うように形成された防水構造を有する防水キャップを、本体部の係合部に取り付けることにより光学機器全体を防水構造にできる。また、防水構造が不要の時には防水キャップを取り外しておくことにより、全体を防水構造とした光学機器よりも小型になり、携帯性が良くなる。
【００１９】
また、本発明に係る光学機器によれば、前記防水キャップを取り外したときには前記リング部材を前記本体部の係合部に取り付けることによって前記係合部が被われるので、前記係合部が露出することがない。したがって、前記係合部に本体部の内部に連通する隙間があったとしても、前記リング部材でこの隙間を塞いでおくことができることから、防滴構造程度のシールド性を持たせることができる。
【図面の簡単な説明】
【図１】本発明の一例としてのカメラに防水キャップを取り付けたときの状態を示した断面図である。
【図２】同、カメラに防水キャップを取り付けたときの状態を示した断面図であり、（ａ）はワイド状態、（ｂ）はテレ状態を示している。
【図３】同、カメラにリング部材を取り付けたときの状態を示した断面図である。
【図４】同、カメラにリング部材を取り付けたときの状態を示した断面図であり、（ａ）はワイド状態、（ｂ）はテレ状態を示している。
【符号の説明】
１      カメラ
１０      本体部
１１      ハウジング
１１ｂ    係合部
１１ｃ    Ｏリング
２０      鏡筒部
３０      防水キャップ
３１      正面部
３２      側面部
３２ａ    側面部の一端
３２ｂ    キャップ係合部
３３      補強部
３４      Ｏリング
３５      Ｏリング
４０      リング部材
４０ａ    リング係合部
【図１】
0004324281.tif 000002
【図２】
0004324281.tif 000003
【図３】
0004324281.tif 000004
【図４】
0004324281.tif 000005